【手続補正書】
【提出日】平成23年4月14日(2011.4.14)
【手続補正１】
【補正対象書類名】特許請求の範囲
【補正対象項目名】全文
【補正方法】変更
【補正の内容】
【特許請求の範囲】
【請求項１】
モータであって、所定の中心軸を中心に回転するシャフトと、前記シャフトを回転自在に支持する内周面を有する略円筒形状のスリーブと、前記スリーブの外周面を保持する内周面を有する保持円筒部を有する略円筒形状のハウジングと、前記保持円筒部の外周面に保持される回転磁界を発生するステータと、前記ステータより軸方向下側に配置され、前記保持円筒部の外周面に保持される取付部を有する取付板と、を備え、前記ハウジングは、金属板をプレス加工することによって形成され、前記保持円筒部の外周面は、前記ステータと径方向に対向するステータ保持面部と前記取付板の前記取付部と径方向に対向する取付板保持面部とを有し、前記ステータ保持面部の外径は、前記取付板保持面部の外径よりも大きく、前記保持円筒部の内周面のうち、前記ステータ保持面部に対応する内周面および前記取付板保持面部に対応する内周面は、それぞれ前記スリーブの外周面と接触することを特徴とするモータ。
【請求項２】
請求項１に記載のモータであって、前記ステータと前記ステータ保持面部とは、少なくとも圧入によって固定されることを特徴とするモータ。
【請求項３】
請求項１および請求項２のいずれかに記載のモータであって、前記ステータは、磁性を有する薄板の鋼板を打ち抜きによって形成されたステータラミネーションを軸方向に複数積層して形成されたステータコアを有し、前記ステータコアは、同じ打ち抜き方向のステータラミネーションを積層し、前記ステータコアは、前記ステータ保持面と接触する内周面を有し、前記ステータコアは、前記打ち抜き方向から前記取付板保持面部を挿入し、前記ステータ保持面に嵌合保持されることを特徴とするモータ。
【請求項４】
請求項１乃至請求項３のいずれかに記載のモータであって、前記ステータ保持面部と前記取付板保持面部との軸方向の間には、軸方向上側に向かい拡径する傾斜面が形成されることを特徴とするモータ。
【請求項５】
請求項１乃至請求項４のいずれかに記載のモータであって、前記保持円筒部の内周面のうち、前記ステータ保持面部に対応する内周面より軸方向上側の内周面は、軸方向上側に向かい拡径する曲面にて形成されることを特徴とするモータ。
【請求項６】
請求項１乃至請求項５のいずれかに記載のモータであって、前記スリーブの外周面は、前記保持円筒部の内周面に圧入され、前記スリーブの外周面と前記保持円筒部の内周面との接触する、軸方向の長さは、前記シャフトの外周面と前記スリーブの内周面との接触する、軸方向の長さと、略同等であることを特徴とするモータ。
【請求項７】
請求項１乃至請求項６のいずれかに記載のモータであって、前記取付板の前記取付部は、バーリング加工によって形成され、前記取付板における軸方向上側は、前記取付部の内径が大きくなる拡径部が形成され、前記拡径部の内径は、前記取付板保持面の外径より大きく、前記取付部の前記拡径部より軸方向下側の内周面と前記取付板保持面部とは嵌合保持されることを特徴とするモータ。
【請求項８】
請求項７に記載のモータであって、前記取付部の前記拡径部の内周面と前記取付板保持面部との間には、接着剤が充填されることを特徴とするモータ。
【請求項９】
請求項７および請求項８のいずれかに記載のモータであって、前記拡径部の内周面の上端縁には、軸方向上側に向かい拡径する傾斜面が形成されることを特徴とするモータ。
【請求項１０】
請求項７乃至請求項９のいずれかに記載のモータであって、前記拡径部の内周面と前記取付板保持面部と接触する前記取付部の内周面との軸方向の間には、軸方向上側に向かい拡径する傾斜面が形成されることを特徴とするモータ。
【請求項１１】
請求項７乃至請求項１０のいずれかに記載のモータであって、前記取付板保持面部の軸方向下側は、径方向内側に向かう屈曲部が連続して形成されることを特徴とするモータ。
【請求項１２】
請求項１乃至請求項１１のいずれかに記載のモータであって、前記スリーブは、含油すべり軸受であり、前記ハウジングには、前記保持円筒部の下端開口側を閉蓋する底部を有し、前記底部の上面には、前記シャフトの下端部を回転自在に支持するスラストプレートが配置され、前記保持円筒部および前記底部は、一体に設けられることを特徴とするモータ。
【請求項１３】
請求項１乃至請求項１１のいずれかに記載のモータであって、前記保持円筒部の軸方向下側には、外径および内径を縮小する段部が形成され、前記段部には、前記保持円筒部の下側開口を閉蓋する底部が設けられ、前記スリーブの下端面と前記段部の上面との軸方向の間には、前記スリーブの内径より小さい内径を有するワッシャが配置され、前記ワッシャと径方向に対向する前記シャフトの外周面には、該シャフトの外径を縮小する縮径部が設けられ、前記縮径部の軸方向の幅は、前記ワッシャの内周面の軸方向の幅よりも大きいことを特徴とするモータ。
【請求項１４】
請求項１３に記載のモータであって、前記段部は、前記保持円筒部と屈曲部を介して連結し、前記段部の上面の外周縁には、下側に向かい凹む形状である環状凹部が形成され、前記ワッシャの外周縁は、前記環状凹部の内周縁より径方向外側に配置されることを特徴とするモータ。
【請求項１５】
請求項１乃至請求項１４のいずれかに記載のモータであって、前記シャフトの上部には、前記ステータと径方向に対向するロータマグネットを保持する円筒部および前記ステータおよび前記スリーブを覆う蓋部を有するロータホルダが取り付けられ、前記ロータホルダの前記蓋部の上面には、中心開口部を有する円盤状の光ディスクを着脱可能とするチャッキング装置が配置され、前記ロータホルダの前記蓋部の上面における前記チャッキング装置より径方向外側の位置には、前記光ディスクの下面と接触するディスク載置面を有することを特徴とするモータ。
【請求項１６】
請求項１５に記載のモータであって、前記取付板の上面には、前記中心軸と略同心であり、前記取付部の外径より大きい内径である開口穴を有する回路基板が配置され、前記取付部と前記開口穴の径方向の間には、前記取付板を軸方向に段部を形成することによって前記取付板の下面と前記ディスク載置面の上面との軸方向の距離を調節する調整部が形成されることを特徴とするモータ。
【請求項１７】
円盤状のディスクを記録再生するディスク駆動装置であって、請求項１５および請求項１６のいずれかに記載のモータと、前記ディスクを光学的に記録再生する光ピックアップ機構と、前記光ピックアップ機構を前記ディスクの径方向に移動可能とする移動機構と、前記モータを取り付けるシャーシと、を備え、前記シャーシには、開口穴が形成され、前記光ピックアップ機構は、前記開口穴の中に配置されることを特徴とするディスク駆動装置。
【手続補正２】
【補正対象書類名】明細書
【補正対象項目名】００２０
【補正方法】変更
【補正の内容】
【００２０】
本発明の請求項１２によれば、請求項１乃至請求項１１のいずれかに係り、前記スリーブは、含油すべり軸受であり、前記ハウジングには、前記保持円筒部の下端開口側を閉蓋する底部を有し、前記底部の上面には、前記シャフトの下端部を回転自在に支持するスラストプレートが配置され、前記保持円筒部および前記底部は、一体に設けられることを特徴とする。
【手続補正３】
【補正対象書類名】明細書
【補正対象項目名】００２１
【補正方法】変更
【補正の内容】
【００２１】
本発明の請求項１２に従えば、従来のハウジングの保持円筒部と底部とを別部材にて構成した場合、保持円筒部と底部との継ぎ目から含油すべり軸受であるスリーブの油が漏洩してしまう。しかしながら、本発明のハウジングは、保持円筒部とその下端開口を閉蓋する底部とを一体に設けた形状であることにより、スリーブの油が漏洩することを防ぐことができる。したがって、スリーブの軸受寿命を延長することができる。
【手続補正４】
【補正対象書類名】明細書
【補正対象項目名】００２３
【補正方法】変更
【補正の内容】
【００２３】
本発明の請求項５によれば、請求項１乃至請求項４のいずれかに係り、前記保持円筒部の内周面のうち、前記ステータ保持面に対応する内周面より軸方向上側の内周面は、軸方向上側に向かい拡径する曲面にて形成されることを特徴とする。
【手続補正５】
【補正対象書類名】明細書
【補正対象項目名】００２４
【補正方法】変更
【補正の内容】
【００２４】
本発明の請求項５に従えば、ステータ保持面部に対応する内周面より軸方向上側の内周面が軸方向上側に向かい拡径する構造により、スリーブの外周面と保持円筒部の内周面との嵌合保持を円滑に行うことができる。したがって、保持円筒部にスリーブを固定する固定作業の効率を向上させることができる。
【手続補正６】
【補正対象書類名】明細書
【補正対象項目名】００２６
【補正方法】変更
【補正の内容】
【００２６】
本発明の請求項６によれば、請求項１乃至請求項５のいずれかに係り、前記スリーブの外周面は、前記保持円筒部の内周面に圧入され、前記スリーブの外周面と前記保持円筒部の内周面との接触する、軸方向の長さは、前記シャフトの外周面と前記スリーブの内周面との接触する、軸方向の長さと、略同等であることを特徴とする。
【手続補正７】
【補正対象書類名】明細書
【補正対象項目名】００２７
【補正方法】変更
【補正の内容】
【００２７】
本発明の請求項６に従えば、スリーブと保持円筒部との接触する軸方向の長さは、シャフトの外周面とスリーブの内周面とを接触する軸方向の長さと略同等であるため、スリーブの軸方向の長さが短いものであっても、保持円筒部は、良好にスリーブを保持することができる。
【手続補正８】
【補正対象書類名】明細書
【補正対象項目名】００２８
【補正方法】変更
【補正の内容】
【００２８】
本発明の請求項７によれば、請求項１乃至請求項６のいずれかに係り、前記取付板の前記取付部は、バーリング加工によって形成され、前記取付板における軸方向上側は、前記取付部の内径が大きくなる拡径部が形成され、前記拡径部の内径は、前記取付板保持面部の外径より大きく、前記取付部の前記拡径部より軸方向下側の内周面と前記取付板保持面部とは嵌合保持されることを特徴とする。
【手続補正９】
【補正対象書類名】明細書
【補正対象項目名】００２９
【補正方法】変更
【補正の内容】
【００２９】
本発明の請求項７に従えば、バーリング加工によって形成される取付部における屈曲部に近い側の内周面によって、取付板保持面部と嵌合保持されることによって、取付部の嵌合による変形を抑制することができる。したがって、取付板のハウジングに対する取り付け精度を向上させることができる。
【手続補正１０】
【補正対象書類名】明細書
【補正対象項目名】００３０
【補正方法】変更
【補正の内容】
【００３０】
また、本発明によれば、前記取付部の径方向の板厚は、略０．６ｍｍ以下とすることができる。
【手続補正１１】
【補正対象書類名】明細書
【補正対象項目名】００３１
【補正方法】変更
【補正の内容】
【００３１】
上述した取付部の径方向の板厚を略０．６ｍｍ以下とすることにより、より薄い板厚によって取付板をプレス加工することができる。したがって、モータの薄型化に寄与することができる。その上、取付部を薄くしても、取付部の屈曲部付近にて固定することにより、取付部の嵌合による変形を抑制することができる。
【手続補正１２】
【補正対象書類名】明細書
【補正対象項目名】００３２
【補正方法】変更
【補正の内容】
【００３２】
本発明の請求項８によれば、請求項７に係り、前記取付部の前記拡径部の内周面と前記取付板保持面部との間には、接着剤が充填されることを特徴とする。
【手続補正１３】
【補正対象書類名】明細書
【補正対象項目名】００３３
【補正方法】変更
【補正の内容】
【００３３】
本発明の請求項８に従えば、拡径部の内周面と取付板保持面部との間に接着剤が充填されることにより、ハウジングと取付板との保持強度を向上させることができる。したがって、取付部の内周面と取付板保持面部との接触面積を減少させたとしても、取付板とハウジングとの保持強度を保つことができるので、取付部の嵌合による取付部の変形をより抑制することができる。
【手続補正１４】
【補正対象書類名】明細書
【補正対象項目名】００３４
【補正方法】変更
【補正の内容】
【００３４】
本発明の請求項９によれば、請求項７および請求項８のいずれかに係り、前記拡径部の内周面の上端縁には、軸方向上側に向かい拡径する傾斜面が形成されることを特徴とする。
【手続補正１５】
【補正対象書類名】明細書
【補正対象項目名】００３６
【補正方法】変更
【補正の内容】
【００３６】
本発明の請求項１０によれば、請求項７乃至請求項９のいずれかに係り、前記拡径部の内周面と前記取付板保持面部と接触する前記取付部の内周面との軸方向の間には、軸方向上側に向かい拡径する傾斜面が形成されることを特徴とする。
【手続補正１６】
【補正対象書類名】明細書
【補正対象項目名】００３７
【補正方法】変更
【補正の内容】
【００３７】
本発明の請求項１０に従えば、取付部の拡径部の内周面と取付板保持面部と接触する取付部の内周面との軸方向の間に、軸方向上側に向かい拡径する傾斜面が形成されることにより、取付板保持面部に対して取付部を容易に嵌合させることができる。その上、傾斜面によって、取付部の取付板保持面部と接触する内周面は精度良く取付板保持面部に取り付くことができる。
【手続補正１７】
【補正対象書類名】明細書
【補正対象項目名】００３８
【補正方法】変更
【補正の内容】
【００３８】
本発明の請求項１１によれば、請求項７乃至請求項１０のいずれかに係り、前記取付板保持面部の軸方向下側は、径方向内側に向かう屈曲部が連続して形成されることを特徴とする。
【手続補正１８】
【補正対象書類名】明細書
【補正対象項目名】００３９
【補正方法】変更
【補正の内容】
【００３９】
本発明の請求項１１に従えば、取付板保持面部の軸方向下側に屈曲部が連続して形成されることによって、取付板保持面部に対して圧縮しようとする力に対する抗力を向上させることができる。したがって、取付板保持面部に取付部を取り付ける際に、取付部によって取付板保持面部に加わる力によって発生する取付板保持面部の変形を抑制することができる。
本発明の請求項１３によれば、請求項１乃至請求項１１のいずれかに係り、前記保持円筒部の軸方向下側には、外径および内径を縮小する段部が形成され、前記段部には、前記保持円筒部の下側開口を閉蓋する底部が設けられ、前記スリーブの下端面と前記段部の上面との軸方向の間には、前記スリーブの内径より小さい内径を有するワッシャが配置され、前記ワッシャと径方向に対向する前記シャフトの外周面には、該シャフトの外径を縮小する縮径部が設けられ、前記縮径部の軸方向の幅は、前記ワッシャの内周面の軸方向の幅よりも大きいことを特徴とする。
【手続補正１９】
【補正対象書類名】明細書
【補正対象項目名】００４０
【補正方法】変更
【補正の内容】
【００４０】
本発明の請求項１３に従えば、ワッシャの内周面とシャフトの縮径部とによって抜止機構を果たすことができる。したがって、モータに軸方向の衝撃が加わったとしても、シャフトがスリーブから外れることのない、信頼性の高いモータを提供することができる。
【手続補正２０】
【補正対象書類名】明細書
【補正対象項目名】００４１
【補正方法】変更
【補正の内容】
【００４１】
本発明の請求項１４によれば、請求項１３に係り、前記段部は、前記保持円筒部と屈曲部を介して連結し、前記段部の上面の外周縁には、下側に向かい凹む形状である環状凹部が形成され、前記ワッシャの外周縁は、前記環状凹部の内周縁より径方向外側に配置されることを特徴とする。
【手続補正２１】
【補正対象書類名】明細書
【補正対象項目名】００４２
【補正方法】変更
【補正の内容】
【００４２】
本発明の請求項１４に従えば、ワッシャの外径を大きくすることができるので、保持円筒部の内周面とワッシャの外周面とを近接させることができる。したがって、ワッシャの径方向への動きを抑制することができる。したがって、ワッシャが径方向に動いたとしても、シャフトの縮径部に接触することを防ぐことができる。
【手続補正２２】
【補正対象書類名】明細書
【補正対象項目名】００４３
【補正方法】変更
【補正の内容】
【００４３】
本発明の請求項１５によれば、請求項１乃至請求項１４のいずれかに係り、前記シャフトの上部には、前記ステータと径方向に対向するロータマグネットを保持する円筒部および前記ステータおよび前記スリーブを覆う蓋部を有するロータホルダが取り付けられ、前記ロータホルダの前記蓋部の上面には、中心開口部を有する円盤状の光ディスクを着脱可能とするチャッキング装置が配置され、前記ロータホルダの前記蓋部の上面における前記チャッキング装置より径方向外側の位置には、前記光ディスクの下面と接触するディスク載置面を有することを特徴とする。
【手続補正２３】
【補正対象書類名】明細書
【補正対象項目名】００４４
【補正方法】変更
【補正の内容】
【００４４】
本発明の請求項１５に従えば、光ディスクを回転させるモータは、モータが取付板を介して、光ディスクの情報を記録再生する光ピックアップが取り付けられたシャーシに取り付けられる。したがって、取付板に対する回転軸の傾きが、光ピックアップとディスクとの光軸に大きな影響を与えてしまう。すなわち、光ピックアップの記録再生の精度に影響を与えてしまう。そのため、取付板は、中心軸に対して傾きのないように取り付けられることが望ましい。したがって、本発明のような、ハウジングの保持円筒部に取付板が高精度に取り付けられる構造を、光ディスクを回転させるモータに適用することは望ましい。
【手続補正２４】
【補正対象書類名】明細書
【補正対象項目名】００４５
【補正方法】変更
【補正の内容】
【００４５】
本発明の請求項１６によれば、請求項１５に係り、前記取付板の上面には、前記中心軸と略同心であり、前記取付部の外径より大きい内径である開口穴を有する回路基板が配置され、前記取付部と前記開口穴の径方向の間には、前記取付板を軸方向に段部を形成することによって前記取付板の下面と前記ディスク載置面の上面との軸方向の距離を調節する調整部が形成されることを特徴とする。
【手続補正２５】
【補正対象書類名】明細書
【補正対象項目名】００４６
【補正方法】変更
【補正の内容】
【００４６】
本発明の請求項１６に従えば、光ディスクの下面と光ピックアップとの距離は、光ピックアップの種類およびトラバースユニットのシャーシの形状によって異なってしまう。ハウジングを光ピックアップと光ディスクの下面との距離に合わせて異なる形状にて作製する場合、それに対応してプレス金型を複数種類必要とする。しかしながら、取付板に調節部を設けることによって、ハウジングの種類は一つでよいので、プレス金型を共通化させることができる。したがって、金型費用を大幅に低減することができる。また取付板に調節部を設けるので、取付板を作製する金型は複数種類必要となるが、取付板を取り付けるディスク駆動装置のシャーシは、ディスク駆動装置の種類によって異なることが殆どである。そのため、ディスク駆動装置の種類毎に、取付板は、殆ど新規の金型にて形成する。したがって、ディスク駆動装置の種類毎にモータが必要な場合でも、取付板は、通常新規の金型にて形成するために、モータの製造コストの増加の影響は低い。その上、ハウジングを作製するプレス金型は、取付板を作製する金型と比較して、複雑な金型となるために、金型費用が高い。したがって、取付板を作製する金型を複数種類用意する方が、金型費用は安くなる。その上、調整部を設けることによって、保持円筒部の曲部付近と取付部の曲部付近との固定となるので、固定の際に、保持円筒部や取付部が大きく変形してしまうことを防ぐことができる。したがって、保持円筒部に取付板を高精度に取り付けることができる。
【手続補正２６】
【補正対象書類名】明細書
【補正対象項目名】００４７
【補正方法】変更
【補正の内容】
【００４７】
本発明の請求項１７によれば、円盤状のディスクを記録再生するディスク駆動装置であって、請求項１５および請求項１６のいずれかに記載のモータと、前記ディスクを光学的に記録再生する光ピックアップ機構と、前記光ピックアップ機構を前記ディスクの径方向に移動可能とする移動機構と、前記モータを取り付けるシャーシと、を備え、前記シャーシには、開口穴が形成され、前記光ピックアップ機構は、前記開口穴の中に配置されることを特徴とする。
【手続補正２７】
【補正対象書類名】明細書
【補正対象項目名】００４８
【補正方法】変更
【補正の内容】
【００４８】
本発明の請求項１７に従えば、ディスクの下面に対して、光ピックアップ機構の光の照射の精度の良い、記録再生が良好なディスク駆動装置を提供することができる。その上、モータが回転中にロックすることのない信頼性の高いディスク駆動装置を提供することができる。
【手続補正２８】
【補正対象書類名】明細書
【補正対象項目名】００４９
【補正方法】変更
【補正の内容】
【００４９】
本発明によれば、モータの製造方法であって、所定の中心軸を中心に回転するシャフトと、前記シャフトを回転自在に支持する内周面を有する略円筒形状のスリーブと、金属板をプレス加工することによって形成され、前記スリーブの外周面を保持する内周面を有する保持円筒部を有する略円筒形状のハウジングと、前記保持円筒部の外周面に保持される回転磁界を発生するステータと、前記ステータより軸方向下側に配置され、前記保持円筒部の外周面に保持される取付部を有する取付板と、を備え、前記保持円筒部の外周面は、前記ステータと径方向に対向するステータ保持面部と前記取付板の前記取付部と径方向に対向する取付板保持面部とを有し、前記ステータ保持面部の外径は、前記取付板保持面部の外径よりも大きく、前記保持円筒部の内周面のうち、前記ステータ保持面部に対応する内周面および前記取付板保持面部に対応する内周面は、それぞれ前記スリーブの外周面と接触し、前記ステータを、前記取付板保持面部側より挿通され、前記ステータ保持面部に取り付け、前記ステータを前記ステータ保持面部に取り付け後、前記取付板の前記取付部を前記取付板保持面部に取り付けることができる。
【手続補正２９】
【補正対象書類名】明細書
【補正対象項目名】００５０
【補正方法】変更
【補正の内容】
【００５０】
上述した製造方法に従えば、プレス加工にて、保持円筒部を成形するため、保持円筒部の開口側端部は、金属板から切り離すための切削痕が形成される。この切削痕にバリが発生する可能性がある。このバリが発生した部分にステータを挿通してしまうと、ステータが傷付いてしまい、ステータ保持面部に精度良く取り付けることができない場合がある。取付板保持面部側よりステータを挿通させることにより、取付板保持面部は、ステータ保持面部より外径が小さいために、ステータは、取付板保持面部と接触することを防ぐことができる。したがって、ステータをステータ保持面部に高精度に取り付けることができる。
【手続補正３０】
【補正対象書類名】明細書
【補正対象項目名】００５１
【補正方法】変更
【補正の内容】
【００５１】
本発明によれば、前記ステータおよび前記取付板は、前記ステータ保持面部および前記取付板保持面部に対して、それぞれ圧入することができる。
【手続補正３１】
【補正対象書類名】明細書
【補正対象項目名】００５２
【補正方法】変更
【補正の内容】
【００５２】
上述した製造方法に従えば、ステータとハウジングとを圧入することにより、ステータの中心とハウジングの中心とを精度良く一致させることができる。その上、ステータをステータ保持面部に圧入しようとしても、取付板保持面部にはステータの挿通の際に影響を及ぼさないために、取付板を取付板保持面部に精度良く圧入することができる。
【手続補正３２】
【補正対象書類名】明細書
【補正対象項目名】００５３
【補正方法】変更
【補正の内容】
【００５３】
本発明によれば、前記ハウジングの前記保持円筒部の内周面に前記スリーブを圧入し、前記スリーブを前記保持円筒部の内周面に圧入する際に、前記スリーブの内周面には、前記スリーブの前記内周面の内径を削るサイジングバーが挿通されることができる。
【手続補正３３】
【補正対象書類名】明細書
【補正対象項目名】００５４
【補正方法】変更
【補正の内容】
【００５４】
上述した製造方法に従えば、スリーブの内周面にサイジングバーを挿通した状態にて、スリーブを保持円筒部の内周面に圧入することによって、スリーブの内周面が保持円筒部との圧入によって生じる変形をサイジングバーによって抑えることができる。その上、サイジングバーを引き抜く際に、スリーブの内周面を削るので、スリーブの内周面は、精度良く仕上げることができる。したがって、軸方向に精度良く沿った内周面を形成することができる。したがって、シャフトの振れ回りを抑えることができる。
【手続補正３４】
【補正対象書類名】明細書
【補正対象項目名】００５５
【補正方法】変更
【補正の内容】
【００５５】
本発明によれば、前記保持円筒部の上端部には、径方向外側に広がる環状のフランジ部が形成され、前記スリーブの上端面は、前記フランジ部の上面と一致する位置まで圧入されることができる。
【手続補正３５】
【補正対象書類名】明細書
【補正対象項目名】００５６
【補正方法】変更
【補正の内容】
【００５６】
上述した製造方法に従えば、スリーブの上端面とフランジ部の上面とを一致させることによって、スリーブの軸方向の位置を容易に決定することができる。したがって、モータの製造を容易に行うことができる。
【手続補正３６】
【補正対象書類名】明細書
【補正対象項目名】００５７
【補正方法】変更
【補正の内容】
【００５７】
本発明によれば、前記保持円筒部の軸方向下側には、外径および内径を縮小する段部が形成され、前記段部には、前記保持円筒部の下側開口を閉蓋する底部が設けられ、前記スリーブの下端面と前記段部の上面との軸方向の間には、前記スリーブの内径より小さい内径を有するワッシャが配置され、前記ワッシャと径方向に対向する前記シャフトの外周面には、該シャフトの外径を縮小する縮小部が設けられ、前記サイジングバーの先端部は、前記スリーブにおける前記ワッシャと対向する下端面と軸方向に略同位置、もしくは、前記スリーブの下端面より上側であることができる。
【手続補正３７】
【補正対象書類名】明細書
【補正対象項目名】００５８
【補正方法】変更
【補正の内容】
【００５８】
上述した製造方法に従えば、サイジングバーの位置が、スリーブの下端面と軸方向に略同位置、もしくは、スリーブの下端面より上側であることにより、サイジングバーとワッシャとの接触を防止することができる。したがって、サイジングバーによってワッシャを削ることを防ぐことができる。その結果、ワッシャの削り粉によるスラッジの発生を防止することができる。したがって、シャフトとスリーブとの焼きつきによるモータのロックの発生を防止することができる。
【手続補正３８】
【補正対象書類名】明細書
【補正対象項目名】００５９
【補正方法】変更
【補正の内容】
【００５９】
本発明によれば、前記スリーブの内周面における上端縁および下端縁には、環状の上端傾斜面および下端傾斜面がそれぞれ形成され、前記下端傾斜面の大きさは、前記上端傾斜面の大きさより大きくすることができる。
【手続補正３９】
【補正対象書類名】明細書
【補正対象項目名】００６０
【補正方法】変更
【補正の内容】
【００６０】
上述した製造方法に従えば、上端傾斜面を形成することによって、サイジングバーをスリーブの上端面側より挿通しやすくすることができる。またサイジングバーとスリーブの内周面の上端縁との接触を防ぐことができるので、サイジングバーによるスリーブの内周面の上端縁の欠けを防ぐことができる。その上、下端傾斜面を設け、下端傾斜面の大きさを上端傾斜面の大きさより大きくすることによって、スリーブのシャフトを支持する内周面の全面を削ることができる。したがって、シャフトを支持するスリーブの内周面の内径精度を向上させることができる。
【手続補正４０】
【補正対象書類名】明細書
【補正対象項目名】００６１
【補正方法】変更
【補正の内容】
【００６１】
本発明によれば、前記下端傾斜面と前記中心軸との成す鋭角は、０度より大きく４５度より小さくすることができる。
【手続補正４１】
【補正対象書類名】明細書
【補正対象項目名】００６２
【補正方法】変更
【補正の内容】
【００６２】
上述した製造方法に従えば、下端傾斜面と中心軸との成す鋭角を０度より大きく４５度より小さく形成することによって、下端傾斜面を形成したとしても、スリーブの体積の減少を抑えることができる。したがって、スリーブの補油量を確保することができるので、モータの寿命の低下を防ぐことができる。またワッシャの内周面が軸方向上側に移動した際、ワッシャの上面とスリーブの下端面との接触する径方向の位置をより径方向内側に設定することができる。したがって、シャフトが抜ける方向（軸方向上側）に移動したとしても、ワッシャが良好にシャフトの抜け止めの機能を果たすことができる。
【手続補正４２】
【補正対象書類名】明細書
【補正対象項目名】００６３
【補正方法】変更
【補正の内容】
【００６３】
本発明によれば、前記サイジングバーの外周面には、スパイラル形状の溝が形成されていることができる。
【手続補正４３】
【補正対象書類名】明細書
【補正対象項目名】００６４
【補正方法】変更
【補正の内容】
【００６４】
本発明に従えば、サイジングバーにスパイラル形状の溝が形成されることによって、サイジングバーをスリーブの内周面から回転しながら引き抜くのみで、良好にスリーブの内周面を削ることができる。さらに、スリーブの内周面の削り粉は、スパイラル溝をとおり、スリーブの上端側に移動するので、スリーブの内周面の中に、削り粉が残ることを防ぐことができる。また、スリーブの下端面側に削り粉が飛び出すことも防ぐことができる。
【手続補正４４】
【補正対象書類名】明細書
【補正対象項目名】００６５
【補正方法】変更
【補正の内容】
【００６５】
本発明によれば、前記ハウジングの前記保持円筒部の上端部には、径方向外側に広がり、内周側の一部が前記保持円筒部に軸方向に重なる環状のフランジ部が形成され、前記フランジ部と接触する冶具に、前記フランジ部が接触した状態にて前記ハウジングを配置し、前記ステータおよび前記取付板をそれぞれ前記ステータ保持面部および前記取付板保持面部に圧入することができる。
【手続補正４５】
【補正対象書類名】明細書
【補正対象項目名】００６６
【補正方法】変更
【補正の内容】
【００６６】
本発明に従えば、フランジ部を冶具に接触させた状態にてステータおよび取付板を圧入することにより、これらのハウジングに加わる圧入力は、フランジ部にて受けることができる。またフランジ部の一部が保持円筒部と軸方向に重なることによって、ハウジングに加わる圧入力を保持円筒部にても受けることができる。したがって、圧入力によってハウジングへの影響を最小限に抑えることができる。これは、特にハウジングの板厚の薄いものに好適である。